(57)【要約】  本発明は、同期信号ブロックの位置指示方法、ネットワークデバイス、端末デバイス及びコンピュータ記憶媒体を開示し、前記方法は、少なくとも１つの第１のタイプのセルの同期信号ブロックの伝送位置を確定することと、前記少なくとも１つの第１のタイプのセルの同期信号ブロックの伝送位置を、シグナリングにより端末デバイスに送信することとを含み、ここで、前記端末デバイスが、前記ネットワークデバイスが管理する第２のタイプのセル範囲に位置する。
2020537836.tif 000002
【特許請求の範囲】
【請求項１】
ネットワークデバイスに応用される同期信号ブロックの位置指示方法であって、
少なくとも１つの第１のタイプのセルの同期信号ブロックの伝送位置を確定することと、
前記少なくとも１つの第１のタイプのセルの同期信号ブロックの伝送位置を、シグナリングにより端末デバイスに送信することとを含み、
ここで、前記端末デバイスが、前記ネットワークデバイスが管理する第２のタイプのセル範囲に位置する
ことを特徴とする同期信号ブロックの位置指示方法。
【請求項２】
前記少なくとも１つの第１のタイプのセルの同期信号ブロックの伝送位置を、シグナリングにより端末デバイスに送信することは、
前記少なくとも１つの第１のタイプのセルの同期信号ブロックの伝送位置に基づいてビットマップを生成し、シグナリングにより前記ビットマップを端末デバイスに送信することを含む
ことを特徴とする請求項１に記載の同期信号ブロックの位置指示方法。
【請求項３】
前記方法は、さらに、
前記少なくとも１つの第１のタイプのセルと前記ネットワークデバイスの管理するセルとの同期関係を前記端末デバイスに送信することを含み、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項２に記載の同期信号ブロックの位置指示方法。
【請求項４】
前記少なくとも１つの第１のタイプのセルの同期信号ブロックの伝送位置に基づいてビットマップを生成し、シグナリングにより前記ビットマップを端末デバイスに送信することは、
少なくとも１つの第１のタイプのセルと前記ネットワークデバイスの管理するセルとが同期状態にある場合、全ての前記第１のタイプのセルの同期信号ブロックの伝送位置に基づいて、全ての第１のタイプのセルの同期信号ブロックの伝送位置を含むビットマップを生成することと、
全ての第１のタイプのセルの同期信号ブロックの伝送位置を含むビットマップを、シグナリングにより端末デバイスに送信することとを含む
ことを特徴とする請求項２に記載の同期信号ブロックの位置指示方法。
【請求項５】
前記少なくとも１つの第１のタイプのセルの同期信号ブロックの伝送位置に基づいてビットマップを生成し、シグナリングにより前記ビットマップを端末デバイスに送信することは、
前記少なくとも１つの第１のタイプのセルと前記ネットワークデバイスの管理するセルとの間に同期ずれが存在する場合、前記少なくとも１つの第１のタイプのセルと前記ネットワークデバイスの管理するセルとの同期ずれを端末デバイスに送信することと、
前記少なくとも１つの第１のタイプのセルの同期信号ブロックの伝送位置に基づいて、各第１のタイプのセルに対応するビットマップを生成することと、
前記各第１のタイプのセルに対応するビットマップを、シグナリングにより端末デバイスに送信することとを含む
ことを特徴とする請求項２に記載の同期信号ブロックの位置指示方法。
【請求項６】
前記少なくとも１つの第１のタイプのセルの同期信号ブロックの伝送位置に基づいてビットマップを生成し、シグナリングにより前記ビットマップを端末デバイスに送信することは、
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、
前記第１の部分の第１のタイプのセルと前記ネットワークデバイスの管理するセルとの同期ずれを端末デバイスに送信し、前記第１の部分の第１のタイプのセルの同期信号ブロックの伝送位置に基づいて、前記第１の部分の第１のタイプのセルのうちの各第１のタイプのセルに対応するビットマップを生成し、前記第１の部分の第１のタイプのセルのうちの各第１のタイプのセルに対応するビットマップをシグナリングにより端末デバイスに送信し、
さらに、第２の部分の第１のタイプのセルの同期信号ブロックの伝送位置に基づいて、第２の部分の第１のタイプのセルの同期信号ブロックの伝送位置を含むビットマップを生成し、第２の部分の第１のタイプのセルの同期信号ブロックの伝送位置を含むビットマップを、シグナリングにより端末デバイスに送信することを含み、
前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成する
ことを特徴とする請求項２に記載の同期信号ブロックの位置指示方法。
【請求項７】
前記少なくとも１つの第１のタイプのセルの同期信号ブロックの伝送位置に基づいてビットマップを生成し、シグナリングにより前記ビットマップを端末デバイスに送信することは、
前記少なくとも１つの第１のタイプのセルのうちの各第１のタイプのセルと前記ネットワークデバイスの管理するセルとの同期ずれを端末デバイスに送信することと、
前記第１のタイプのセルの同期信号ブロックの伝送位置に基づいて、前記各第１のタイプのセルに対応するビットマップを生成することと、
前記各第１のタイプのセルに対応するビットマップをシグナリングにより端末デバイスに送信することとを含む
ことを特徴とする請求項２に記載の同期信号ブロックの位置指示方法。
【請求項８】
前記少なくとも１つの第１のタイプのセルの同期信号ブロックの伝送位置を確定することは、
Ｘ２インターフェース又はＳ１インターフェースを介して、少なくとも１つの第１のタイプのセルの同期信号ブロックの伝送位置を取得することを含む
ことを特徴とする請求項１に記載の同期信号ブロックの位置指示方法。
【請求項９】
前記Ｘ２インターフェース又はＳ１インターフェースを介して、少なくとも１つの第１のタイプのセルの同期信号ブロックの伝送位置を取得することは、
Ｘ２インターフェース又はＳ２インターフェースを介して、少なくとも１つの第１のタイプのセルに対応するネットワークデバイスに同期信号ブロックの質問情報を送信することと、
Ｘ２インターフェース又はＳ２インターフェースを介して、前記少なくとも１つの第１のタイプのセルに対応するネットワークデバイスからフィードバックされた第１のタイプのセルの同期信号ブロックの伝送位置を受信することとを含む
ことを特徴とする請求項８に記載の同期信号ブロックの位置指示方法。
【請求項１０】
前記少なくとも１つの第１のタイプのセルの同期信号ブロックの伝送位置を確定することは、
少なくとも１つの第１のタイプのセルに対応するネットワークデバイスにより送信されたブロードキャストメッセージを取得することと、
前記ブロードキャストメッセージから、少なくとも１つの第１のタイプのセルの同期信号ブロックの伝送位置の同期信号ブロックの伝送位置を取得することとを含む
ことを特徴とする請求項１に記載の同期信号ブロックの位置指示方法。
【請求項１１】
端末デバイスに応用される同期信号ブロックの位置指示方法であって、
ネットワークデバイスがシグナリングにより送信した少なくとも１つの第１のタイプのセルの同期信号ブロックの伝送位置を受信することと、
前記少なくとも１つの第１のタイプのセルの同期信号ブロックの伝送位置に基づいて、前記少なくとも１つの第１のタイプのセルの同期信号ブロックを測定することとを含む
ことを特徴とする同期信号ブロックの位置指示方法。
【請求項１２】
前記ネットワークデバイスがシグナリングにより送信した少なくとも１つの第１のタイプのセルの同期信号ブロックの伝送位置を受信することは、
ネットワークデバイスからのシグナリングを受信することと、
前記シグナリングからビットマップを取得し、前記ビットマップを利用して少なくとも１つの第１のタイプのセルの同期信号ブロックの伝送位置を取得することとを含む
ことを特徴とする請求項１１に記載の同期信号ブロックの位置指示方法。
【請求項１３】
前記方法は、さらに、
前記ネットワークデバイスにより送信された、前記少なくとも１つの第１のタイプのセルと前記ネットワークデバイスが管理するセルとの同期関係を受信することを含み、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項１２に記載の同期信号ブロックの位置指示方法。
【請求項１４】
前記シグナリングからビットマップを取得し、前記ビットマップを利用して少なくとも１つの第１のタイプのセルの同期信号ブロックの伝送位置を取得することは、
少なくとも１つの第１のタイプのセルと前記ネットワークデバイスの管理するセルとが同期状態にある場合、前記ビットマップから全ての第１のタイプのセルの同期信号ブロックの伝送位置を取得することを含む
ことを特徴とする請求項１３に記載の同期信号ブロックの位置指示方法。
【請求項１５】
前記シグナリングからビットマップを取得し、前記ビットマップを利用して少なくとも１つの第１のタイプのセルの同期信号ブロックの伝送位置を取得することは、
前記少なくとも１つの第１のタイプのセルと前記ネットワークデバイスの管理するセルとの間に同期ずれが存在する場合、
前記少なくとも１つの第１のタイプのセルと前記ネットワークデバイスの管理するセルとの同期ずれを取得することと、
各第１のタイプのセルに対応するビットマップを取得し、前記ビットマップに基づいて各第１のタイプのセルの同期信号ブロックの伝送位置を取得することとを含む
ことを特徴とする請求項１３に記載の同期信号ブロックの位置指示方法。
【請求項１６】
前記シグナリングからビットマップを取得し、前記ビットマップを利用して少なくとも１つの第１のタイプのセルの同期信号ブロックの伝送位置を取得することは、
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、
第１の部分の第１のタイプのセルのうちの各第１のタイプのセルのビットマップに基づいて第１の部分の第１のタイプのセルの同期信号ブロックの伝送位置を取得し、
さらに、第２の部分の第１のタイプのセルのビットマップに基づいて第２の部分の第１のタイプのセルの同期信号ブロックの伝送位置を取得することを含み、
前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成する
ことを特徴とする請求項１３に記載の同期信号ブロックの位置指示方法。
【請求項１７】
前記シグナリングからビットマップを取得し、前記ビットマップを利用して少なくとも１つの第１のタイプのセルの同期信号ブロックの伝送位置を取得することは、
前記少なくとも１つの第１のタイプのセルのうちの各第１のタイプのセルと前記ネットワークデバイスの管理するセルとの同期ずれを取得することと、
各第１のタイプのセルに対応するビットマップを取得し、前記ビットマップから各第１のタイプのセルの同期信号ブロックの伝送位置を取得することとを含む
ことを特徴とする請求項１２に記載の同期信号ブロックの位置指示方法。
【請求項１８】
少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように制御するように構成される処理ユニットと、
シグナリングを端末デバイスに送信するように構成される通信ユニットとを含み、
前記端末デバイスが、前記ネットワークデバイスが管理する第２のタイプのセル範囲に位置する
ことを特徴とするネットワークデバイス。
【請求項１９】
前記処理ユニットは、前記少なくとも１つの第１のタイプのセルの同期信号ブロックの伝送位置に基づいてビットマップを生成し、通信ユニットを制御してシグナリングにより前記ビットマップを端末デバイスに送信するように構成される
ことを特徴とする請求項１８に記載のネットワークデバイス。
【請求項２０】
前記通信ユニットは、前記少なくとも１つの第１のタイプのセルと前記ネットワークデバイスの管理するセルとの同期関係を前記端末デバイスに送信するように構成され、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項１９に記載のネットワークデバイス。
【請求項２１】
前記処理ユニットは、少なくとも１つの第１のタイプのセルと前記ネットワークデバイスの管理するセルとが同期状態にある場合、全ての前記第１のタイプのセルの同期信号ブロックの伝送位置に基づいて、全ての第１のタイプのセルの同期信号ブロックの伝送位置を含むビットマップを生成し、通信ユニットを制御して全ての第１のタイプのセルの同期信号ブロックの伝送位置を含むビットマップをシグナリングにより端末デバイスに送信するように構成される
ことを特徴とする請求項１９に記載のネットワークデバイス。
【請求項２２】
前記処理ユニットは、前記少なくとも１つの第１のタイプのセルと前記ネットワークデバイスの管理するセルとの間に同期ずれが存在する場合、前記少なくとも１つの第１のタイプのセルと前記ネットワークデバイスの管理するセルとの同期ずれを端末デバイスに送信し、前記少なくとも１つの第１のタイプのセルの同期信号ブロックの伝送位置に基づいて、各第１のタイプのセルに対応するビットマップを生成し、通信ユニットを制御して、前記各第１のタイプのセルに対応するビットマップを、シグナリングにより端末デバイスに送信するように構成される
ことを特徴とする請求項１９に記載のネットワークデバイス。
【請求項２３】
前記処理ユニットは、前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、
前記第１の部分の第１のタイプのセルと前記ネットワークデバイスの管理するセルとの同期ずれを端末デバイスに送信し、前記第１の部分の第１のタイプのセルの同期信号ブロックの伝送位置に基づいて、前記第１の部分の第１のタイプのセルのうちの各第１のタイプのセルに対応するビットマップを生成し、通信ユニットを制御して前記第１の部分の第１のタイプのセルのうちの各第１のタイプのセルに対応するビットマップをシグナリングにより端末デバイスに送信し、
さらに、第２の部分の第１のタイプのセルの同期信号ブロックの伝送位置に基づいて、第２の部分の第１のタイプのセルの同期信号ブロックの伝送位置を含むビットマップを生成し、通信ユニットを制御して第２の部分の第１のタイプのセルの同期信号ブロックの伝送位置を含むビットマップをシグナリングにより端末デバイスに送信するように構成され、
前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成する、
ことを特徴とする請求項１９に記載のネットワークデバイス。
【請求項２４】
前記処理ユニットは、前記少なくとも１つの第１のタイプのセルのうちの各第１のタイプのセルと前記ネットワークデバイスの管理するセルとの同期ずれを端末デバイスに送信し、前記第１のタイプのセルの同期信号ブロックの伝送位置に基づいて、前記各第１のタイプのセルに対応するビットマップを生成し、通信ユニットを制御して前記各第１のタイプのセルに対応するビットマップをシグナリングにより端末デバイスに送信するように構成される
ことを特徴とする請求項１９に記載のネットワークデバイス。
【請求項２５】
前記処理ユニットは、Ｘ２インターフェース又はＳ１インターフェースを介して、少なくとも１つの第１のタイプのセルの同期信号ブロックの伝送位置を取得するように構成される
ことを特徴とする請求項１８に記載のネットワークデバイス。
【請求項２６】
前記処理ユニットは、Ｘ２インターフェース又はＳ２インターフェースを介して、少なくとも１つの第１のタイプのセルに対応するネットワークデバイスに同期信号ブロックの質問情報を送信し、Ｘ２インターフェース又はＳ２インターフェースを介して、前記少なくとも１つの第１のタイプのセルに対応するネットワークデバイスからフィードバックされた第１のタイプのセルの同期信号ブロックの伝送位置を受信するように構成される
ことを特徴とする請求項２５に記載のネットワークデバイス。
【請求項２７】
前記処理ユニットは、通信ユニットを利用して少なくとも１つの第１のタイプのセルに対応するネットワークデバイスにより送信されたブロードキャストメッセージを取得し、前記ブロードキャストメッセージから、少なくとも１つの第１のタイプのセルの同期信号ブロックの伝送位置の同期信号ブロックの伝送位置を取得するように構成される
ことを特徴とする請求項１８に記載のネットワークデバイス。
【請求項２８】
ネットワークデバイスがシグナリングにより送信した少なくとも１つの第１のタイプのセルの同期信号ブロックの伝送位置を受信するように構成される情報受信ユニットと、
前記少なくとも１つの第１のタイプのセルの同期信号ブロックの伝送位置に基づいて、前記少なくとも１つの第１のタイプのセルの同期信号ブロックを測定するように構成される測定ユニットとを含む
ことを特徴とする端末デバイス。
【請求項２９】
前記情報受信ユニットは、ネットワークデバイスからのシグナリングを受信するように構成され、
前記測定ユニットは、前記シグナリングからビットマップを取得し、前記ビットマップを利用して少なくとも１つの第１のタイプのセルの同期信号ブロックの伝送位置を取得するように構成される
ことを特徴とする請求項２８に記載の端末デバイス。
【請求項３０】
前記情報受信ユニットは、前記ネットワークデバイスにより送信された、前記少なくとも１つの第１のタイプのセルと前記ネットワークデバイスが管理するセルとの同期関係を受信するように構成され、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項２９に記載の端末デバイス。
【請求項３１】
前記測定ユニットは、少なくとも１つの第１のタイプのセルと前記ネットワークデバイスの管理するセルとが同期状態にある場合、前記ビットマップから全ての第１のタイプのセルの同期信号ブロックの伝送位置を取得するように構成される
ことを特徴とする請求項３０に記載の端末デバイス。
【請求項３２】
前記測定ユニットは、前記少なくとも１つの第１のタイプのセルと前記ネットワークデバイスの管理するセルとの間に同期ずれが存在する場合、前記少なくとも１つの第１のタイプのセルと前記ネットワークデバイスの管理するセルとの同期ずれを取得し、各第１のタイプのセルに対応するビットマップを取得し、前記ビットマップに基づいて各第１のタイプのセルの同期信号ブロックの伝送位置を取得するように構成される
ことを特徴とする請求項３０に記載の端末デバイス。
【請求項３３】
前記測定ユニットは、前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、
第１の部分の第１のタイプのセルのうちの各第１のタイプのセルのビットマップに基づいて第１の部分の第１のタイプのセルの同期信号ブロックの伝送位置を取得し、
さらに、第２の部分の第１のタイプのセルのビットマップに基づいて第２の部分の第１のタイプのセルの同期信号ブロックの伝送位置を取得するように構成され、
前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成する
ことを特徴とする請求項３０に記載の端末デバイス。
【請求項３４】
前記測定ユニットは、前記少なくとも１つの第１のタイプのセルのうちの各第１のタイプのセルと前記ネットワークデバイスの管理するセルとの同期ずれを取得し、
各第１のタイプのセルに対応するビットマップを取得し、前記ビットマップから各第１のタイプのセルの同期信号ブロックの伝送位置を取得するように構成される
ことを特徴とする請求項３０に記載の端末デバイス。
【請求項３５】
プロセッサと、前記プロセッサで実行可能なコンピュータプログラムを格納するメモリとを備え、
前記プロセッサは、前記コンピュータプログラムを実行する際に、請求項１〜１０のいずれか１項に記載の方法のステップを実行するように構成されている
ことを特徴とするネットワークデバイス。
【請求項３６】
プロセッサと、前記プロセッサ上で実行可能なコンピュータプログラムを格納するメモリとを備え、
前記プロセッサが前記コンピュータプログラムを実行する際に、請求項１１から１７のいずれか１項に記載の方法のステップを実行するように構成されている
ことを特徴とする端末デバイス。
【請求項３７】
実行される場合に請求項１〜１０のいずれか１項に記載の方法ステップを実行するコンピュータ実行可能命令を記憶したコンピュータ記憶媒体。
【請求項３８】
実行される場合に請求項１１〜１７のいずれか１項に記載の方法ステップを実行するコンピュータ実行可能命令を記憶したコンピュータ記憶媒体。
【発明の詳細な説明】
【技術分野】
【０００１】
本発明は、情報処理分野に関し、特に、同期信号ブロックの位置指示方法、ネットワークデバイス、端末デバイス及びコンピュータ記憶媒体に関する。
【背景技術】
【０００２】
ＬＴＥシステムの同期チャネルはＰＳＳ、ＳＳＳ信号であり、端末がＲＲＭ測定を行う参照信号はＣＲＳまたはＣＳＩ−ＲＳ信号である。５Ｇ ＮＲシステム設計では、３ＧＰＰが結論を立て、ネットワークデバイスは、複数のＳＳ ｂｌｃｏｋを含むＳＳ ｂｕｒｓｔ ｓｅｔを端末に送信し、各ＳＳ  ｂｌｏｃｋ内にＰＳＳ、ＳＳＳ、ＰＢＣＨを含む。基地局の実装に基づいて、各ＳＳ  ｂｌｏｃｋは１つの下りビームｂｅａｍに対応し得る。端末は、システム帯域幅内でＳＳ ｂｌｏｃｋを検索して時間周波数同期をとり、ＰＢＣＨ情報を取得し、ＳＳＳとＰＢＣＨのＤＭＲＳによるＲＲＭ測定を行う。
【０００３】
現在、３ＧＰＰでも結論づけられ、１つのＳＳ ｂｕｒｓｔ ｓｅｔにおける実際の送信のＳＳ ｂｌｏｃｋ位置は、端末のサービングセルによって、ブロードキャストシグナリングＲＭＳＩにより、ｂｉｔｍａｐ方式で端末に通知され得る。
【０００４】
しかしながら、上記従来技術の処理方式は、現在のセルのみに対して同期信号を取得するため、端末デバイスの端末測定時間及び消費電力のオーバーヘッドを低減することを保証するものではない。
【発明の概要】
【０００５】
上記の技術課題を解決するために、本発明の実施例は、同期信号ブロックの位置指示方法、ネットワークデバイス、端末デバイス及びコンピュータ記憶媒体を提供する。
【０００６】
本発明の実施例における同期信号ブロックの位置指示方法は、ネットワークデバイスに応用され、
少なくとも１つの第１のタイプのセルの同期信号ブロックの伝送位置を確定することと、
前記少なくとも１つの第１のタイプのセルの同期信号ブロックの伝送位置を、シグナリングにより端末デバイスに送信することとを含み、ここで、前記端末デバイスが、前記ネットワークデバイスが管理する第２のタイプのセル範囲に位置する。
【０００７】
本発明の実施例は、端末デバイスに応用される同期信号ブロックの位置指示方法を提供し、前記方法は、
ネットワークデバイスがシグナリングにより送信した少なくとも１つの第１のタイプのセルの同期信号ブロックの伝送位置を受信することと、
前記少なくとも１つの第１のタイプのセルの同期信号ブロックの伝送位置に基づいて、前記少なくとも１つの第１のタイプのセルの同期信号ブロックを測定することとを含む。
【０００８】
本発明の実施例は、ネットワークデバイスを提供し、処理ユニット及び通信ユニットを含み、
処理ユニットは、少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように制御するように構成され、ここで、前記端末デバイスが、前記ネットワークデバイスが管理する第２のタイプのセル範囲に位置し、
通信ユニットは、シグナリングを端末デバイスに送信するように構成される。
【０００９】
本発明の実施例は、端末デバイスを提供し、情報受信ユニット及び測定ユニットを含み、
情報受信ユニットは、ネットワークデバイスがシグナリングにより送信した少なくとも１つの第１のタイプのセルの同期信号ブロックの伝送位置を受信するように構成され、
測定ユニットは、前記少なくとも１つの第１のタイプのセルの同期信号ブロックの伝送位置に基づいて、前記少なくとも１つの第１のタイプのセルの同期信号ブロックを測定するように構成される。
【００１０】
本発明の実施例のネットワークデバイスは、プロセッサと、前記プロセッサで実行可能なコンピュータプログラムを記憶するメモリとを備え、
ここで、プロセッサは、コンピュータプログラムを実行することによって、前述の方法のステップを実行する。
【００１１】
本発明の実施例の端末デバイスは、プロセッサと、前記プロセッサで実行可能なコンピュータプログラムを記憶するメモリとを備え、
ここで、プロセッサは、コンピュータプログラムを実行することによって、前述の方法のステップを実行する。
【００１２】
本発明の実施例のコンピュータ記憶媒体は、実行されると、前述の方法のステップを実行するコンピュータ実行可能命令を記憶している。
【００１３】
本発明の実施例の技術案は、端末デバイスに第１のタイプのセルの同期信号ブロックの伝送位置を送信することによって、端末デバイスが、通知された第１のタイプのセルの同期信号ブロックの伝送位置に対応する時間に隣接セルの測定を直接行うことを保証し、他の場所では測定を行わないことによって、端末の測定時間と消費電力のオーバーヘッドを節約する。
【図面の簡単な説明】
【００１４】
【図１】本発明の実施例における同期信号ブロックの位置指示方法のフローチャート１である。
【図２】本発明の実施例のシーンの模式図１である。
【図３】本発明の実施例のシーンの模式図２である。
【図４】本発明の実施例における同期信号ブロックの位置指示方法のフローチャート２である。
【図５】本発明の実施例におけるネットワークデバイスの構成図である。
【図６】本発明の実施例における端末デバイスの構成図である。
【図７】本発明の実施例におけるハードウェアアーキテクチャの概略図である。
【発明を実施するための形態】
【００１５】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１６】
実施例１
この実施例は、同期信号ブロックの位置指示方法を提供し、図１に示すように、ステップ１０１とステップ１０２を含み、
ステップ１０１において、少なくとも１つの第１のタイプのセルの同期信号ブロックの伝送位置を確定する。
【００１７】
ステップ１０２において、前記少なくとも１つの第１のタイプのセルの同期信号ブロックの伝送位置を、シグナリングにより端末デバイスに送信し、ここで、前記端末デバイスが、前記ネットワークデバイスが管理する第２のタイプのセル範囲に位置する。
【００１８】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【００１９】
なお、第１のタイプのセルとは、端末デバイスが存在するセルに隣接するセルをいい、隣接セルであってもよい。
【００２０】
また、端末デバイスは、ネットワークデバイスが管理するセル内に位置し、ネットワークデバイスが管理する複数のセルのうちの１つのセル内に位置してもよい。
【００２１】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【００２２】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【００２３】
上記ステップ１０１において、ネットワークデバイスが、前記ネットワークデバイスに隣接する他のセルの実際の同期信号ブロック( ＳＳ  ｂｌｏｃｋ )の伝送位置を決定する方法は、以下のものを含み得る。
【００２４】
第１の方式として、Ｘ２インターフェース又はＳ１インターフェースを介して、少なくとも１つの第１のタイプのセルの同期信号ブロックの伝送位置を取得する。（この実施例は、第１のタイプのセルを隣接セルとして例について後に説明する）
具体的には、ネットワークデバイスは、Ｘ２インターフェース及びＳ１インターフェースを介して、それに隣接する他のセルの基地局デバイスに問い合わせを行うことができ、他のセルの基地局デバイスは、Ｘ２インターフェース及びＳ１インターフェースを介して、ネットワークデバイスに、他のセルの実際のＳＳ  ｂｌｏｃｋの伝送位置を通知する。
【００２５】
上記問い合わせ及び通知処理は、周期的に行われてもよい。この周期は、基地局装置が実際のＳＳ  ｂｌｏｃｋの伝送位置を更新する周期よりも小さい必要がある。
【００２６】
なお、この方式は、第１のタイプのセルと端末デバイスがあるセルとがそれぞれ異なるネットワークデバイスで管理される場面での適用がより好ましい。
【００２７】
第２の方式として、少なくとも１つの第１のタイプのセルに対応するネットワークデバイスにより送信されたブロードキャストメッセージを取得し、
前記ブロードキャストメッセージから、少なくとも１つの第１のタイプのセルの同期信号ブロックの伝送位置の同期信号ブロックの伝送位置を取得する。
【００２８】
ネットワークデバイスは、前記ネットワークデバイスに隣接する他のセルのブロードキャストメッセージを受信して読み取ることによって、前記ネットワークデバイスに隣接する他のセルの実際のＳＳ  ｂｌｏｃｋの伝送位置を取得する。
【００２９】
具体的には、ネットワークデバイスは、ブロードキャストメッセージＲＭＳＩによって、自セルの実際のＳＳ  ｂｌｏｃｋの伝送位置を通知するので、ネットワークデバイスは、前記ネットワークデバイスに隣接する他のセルのブロードキャストメッセージを周期的に読み出して、隣接セルの実際のＳＳ  ｂｌｏｃｋの伝送位置を取得してもよい。
【００３０】
なお、この方式は、第１のタイプのセルと端末デバイスがあるセルとがそれぞれ異なるネットワークデバイスで管理される場面での適用がより好ましい。
【００３１】
また、上記の２つの方式の他に、端末デバイスが存在するセルと、第１のタイプのセル(すなわち、隣接セル)とが同一のネットワークデバイスで管理されている場合、隣接セルの同期信号ブロックの伝送位置を取得する方法は、ネットワークデバイスのセル管理情報から直接取得してもよく、ここではその説明を省略する。
【００３２】
上記ステップ１０２において、前記少なくとも１つの第１のタイプのセルの同期信号ブロックの伝送位置を、シグナリングにより端末デバイスに送信することは、
前記少なくとも１つの第１のタイプのセルの同期信号ブロックの伝送位置に基づいてビットマップを生成し、シグナリングにより前記ビットマップを端末デバイスに送信することを含む。
【００３３】
ここで、前記ビットマップを端末デバイスに送信することは、ネットワークデバイスがブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【００３４】
前記少なくとも１つの第１のタイプのセルの同期信号ブロックの伝送位置に基づいてビットマップを生成し、シグナリングにより前記ビットマップを端末デバイスに送信することは、
少なくとも１つの第１のタイプのセルと前記ネットワークデバイスの管理するセルとが同期状態にある場合、全ての前記第１のタイプのセルの同期信号ブロックの伝送位置に基づいて、全ての隣接セルの同期信号ブロックの伝送位置を含むビットマップを生成し、
全ての第１のタイプのセルの同期信号ブロックの伝送位置を含むビットマップを、シグナリングにより端末デバイスに送信することとを含む。
【００３５】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【００３６】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成および具体的な実装に基づいて、異なる基地局デバイスによって送信されるＳＳ  ｂｌｏｃｋの数は、以下の図２に示されるとおりである。
【００３７】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ２は２、３番目の２つの位置に対応し、ｃｅｌｌ２は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１が、ｂｉｔｍａｐを使用して、ｃｅｌｌ１がサービスするＵＥにｃｅｌｌ１隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【００３８】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００３９】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００４０】
ネットワークデバイスは、測定対象である他のセルの各セルの実際の伝送位置ＳＳ  ｂｌｏｃｋをｂｉｔｍａｐの形式で通知する。
【００４１】
上記の技術案の上で、さらに、前記少なくとも１つの第１のタイプのセルと前記ネットワークデバイスの管理するセルとの同期関係を前記端末デバイスに送信することを含み、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【００４２】
すなわち、ネットワークデバイスは、他セルの実際のＳＳ  ｂｌｏｃｋの伝送位置をシグナリングにより端末に通知すると同時に、他セルとネットワークデバイスに対応する自セルとの同期関係、すなわち同期状態又は同期ずれを端末に通知する。
【００４３】
前記同期状態は、前記ネットワークデバイスが、自セルが他の隣接セルと同期状態であることを前記端末ネットワークデバイスに通知することを含む。
【００４４】
したがって、端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。
【００４５】
前述の同期の場合とは異なり、自セルと隣接セルの両方で同期のずれがある場合、以下のように処理することができる。
【００４６】
前記少なくとも１つの第１のタイプのセルと前記ネットワークデバイスの管理するセルとの間に同期ずれが存在する場合、前記少なくとも１つの隣接セルと前記ネットワークデバイスの管理するセルとの同期ずれを端末デバイスに送信し、
前記少なくとも１つの第１のタイプのセルの同期信号ブロックの伝送位置に基づいて、各隣接セルに対応するビットマップを生成し、
前記各第１のタイプのセルに対応するビットマップを、シグナリングにより端末デバイスに送信する。
【００４７】
ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【００４８】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【００４９】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【００５０】
また、この実施例は、一部の隣接セルが自セルと同期し、他の一部の隣接セルが自セルと非同期であるシーンに対する処理方式を提供してもよい。
【００５１】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ前記第１の部分の第１のタイプのセルと前記第２の部分の第１のタイプのセルとが全ての隣接のセルを構成する。
【００５２】
前記第１の部分の第１のタイプのセルと前記ネットワークデバイスの管理するセルとの同期ずれを端末デバイスに送信し、前記第１の部分の第１のタイプのセルの同期信号ブロックの伝送位置に基づいて、前記第１の部分の第１のタイプのセルのうちの各第１のタイプのセルに対応するビットマップを生成し、前記第１の部分の第１のタイプのセルのうちの各第１のタイプのセルに対応するビットマップをシグナリングにより端末デバイスに送信し、
さらに、第２の部分の第１のタイプのセルの同期信号ブロックの伝送位置に基づいて、第２の部分の第１のタイプのセルの同期信号ブロックの伝送位置を含むビットマップを生成し、第２の部分の第１のタイプのセルの同期信号ブロックの伝送位置を含むビットマップを、シグナリングにより端末デバイスに送信する。
【００５３】
例えば、４つの隣接セルのうち、隣接セル１、２と自セルとの同期関係が同期している場合、隣接セル３、４は同期ずれ、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。
【００５４】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【００５５】
即ち、前記少なくとも１つの第１のタイプのセルのうちの各第１のタイプのセルと前記ネットワークデバイスの管理するセルとの同期ずれを端末デバイスに送信し、
前記第１のタイプのセルの同期信号ブロックの伝送位置に基づいて、前記各第１のタイプのセルに対応するビットマップを生成し、
前記各第１のタイプのセルに対応するビットマップをシグナリングにより端末デバイスに送信する。
【００５６】
このようなシーンでは、自セルに同期している隣接セルの同期ずれ＝０である。
【００５７】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【００５８】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【００５９】
実施例２
この実施例は同期信号ブロックの位置指示方法を提供し、端末デバイスに応用され、図４に示すように、ステップ４０１〜４０２を含み、
ステップ４０１において、ネットワークデバイスがシグナリングにより送信した少なくとも１つの第１のタイプのセルの同期信号ブロックの伝送位置を受信する。
【００６０】
ステップ４０２において、前記少なくとも１つの第１のタイプのセルの同期信号ブロックの伝送位置に基づいて、前記少なくとも１つの第１のタイプのセルの同期信号ブロックを測定する。
【００６１】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【００６２】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【００６３】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【００６４】
前記ネットワークデバイスがシグナリングにより送信した少なくとも１つの第１のタイプのセルの同期信号ブロックの伝送位置を受信することは、
ネットワークデバイスからのシグナリングを受信することと、
前記シグナリングからビットマップを取得し、前記ビットマップを利用して少なくとも１つの第１のタイプのセルの同期信号ブロックの伝送位置を取得することとを含む。
【００６５】
ここで、前記ビットマップを端末デバイスに送信することは、ネットワークデバイスがブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【００６６】
前記方法は、さらに、
前記ネットワークデバイスにより送信された、前記少なくとも１つの第１のタイプのセルと前記ネットワークデバイスが管理するセルとの同期関係を受信することを含み、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【００６７】
前記シグナリングからビットマップを取得し、前記ビットマップを利用して少なくとも１つの第１のタイプのセルの同期信号ブロックの伝送位置を取得することは、
少なくとも１つの第１のタイプのセルと前記ネットワークデバイスの管理するセルとが同期状態にある場合、前記ビットマップから全ての第１のタイプのセルの同期信号ブロックの伝送位置を取得することを含む。
【００６８】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【００６９】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成要求および具体的な実装に基づいて、異なる基地局デバイスによって送信されるＳＳ  ｂｌｏｃｋの数は、以下の図２に示されるとおりである。
【００７０】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ２は２、３番目の２つの位置に対応し、ｃｅｌｌ２は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１がｂｉｔｍａｐを使用して、ｃｅｌｌ１がサービスするＵＥにｃｅｌｌ１の隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【００７１】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００７２】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００７３】
ネットワークデバイスは、測定対象である他のセルの各セルのＳＳ  ｂｌｏｃｋの実際の伝送位置をｂｉｔｍａｐの形式で通知する。
【００７４】
端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。
【００７５】
前述の同期の場合とは異なり、自セルと隣接セルの両方で同期のずれがある場合、以下のように処理することができる。
【００７６】
前記少なくとも１つの第１のタイプのセルと前記ネットワークデバイスの管理するセルとの間に同期ずれが存在する場合、
前記少なくとも１つの第１のタイプのセルと前記ネットワークデバイスの管理するセルとの同期ずれを取得し、
各第１のタイプのセルに対応するビットマップを取得し、前記ビットマップに基づいて各第１のタイプのセルの同期信号ブロックの伝送位置を取得する。
【００７７】
まず、ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【００７８】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【００７９】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【００８０】
また、この実施例は、一部の隣接セルが自セルと同期し、他の一部の隣接セルが自セルと非同期であるシーンに対する処理方式を提供してもよい。
【００８１】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成し、
第１の部分の第１のタイプのセルのうちの各第１のタイプのセルのビットマップに基づいて第１の部分の第１のタイプのセルの同期信号ブロックの伝送位置を取得し、
さらに、第２の部分の第１のタイプのセルのビットマップに基づいて第２の部分の第１のタイプのセルの同期信号ブロックの伝送位置を取得する。
【００８２】
例えば、４つの隣接セルのうち、隣接セル１、２と自セルとの同期関係が同期し、隣接セル３、４は同期ずれている場合、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。したがって、端末デバイスは、隣接セル１、２の同期信号ブロックの伝送位置を含むビットマップに基づいて、隣接セル１、２の測定を行い、さらに、隣接セル３、４の同期ずれ、及び、それぞれのビットマップに基づいて、隣接セル３、４の同期信号ブロックの伝送位置における測定をそれぞれ行う。
【００８３】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【００８４】
即ち、前記少なくとも１つの第１のタイプのセルのうちの各第１のタイプのセルと前記ネットワークデバイスの管理するセルとの同期ずれを取得し、
各第１のタイプのセルに対応するビットマップを取得し、前記ビットマップから各第１のタイプのセルの同期信号ブロックの伝送位置を取得する。
【００８５】
このようなシーンでは、自セルに同期している隣接セルの同期ずれ＝０である。
【００８６】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【００８７】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【００８８】
実施例３
この実施例は、ネットワークデバイスを提供し、図５に示すように、処理ユニット５１及び通信ユニット５２を含み、
処理ユニット５１は、少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように制御するように構成され、ここで、前記端末デバイスが、前記ネットワークデバイスが管理する第２のタイプのセル範囲に位置し、
通信ユニット５２は、シグナリングを端末デバイスに送信するように構成される。
【００８９】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【００９０】
なお、第１のタイプのセルとは、端末デバイスが存在するセルに隣接するセルをいい、隣接セルであってもよい。
【００９１】
また、端末デバイスは、ネットワークデバイスが管理するセル内に位置し、ネットワークデバイスが管理する複数のセルのうちの１つのセル内に位置してもよい。
【００９２】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【００９３】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【００９４】
ネットワークデバイスが、前記ネットワークデバイスに隣接する他のセルの実際の同期信号ブロック( ＳＳ  ｂｌｏｃｋ )の伝送位置を決定する方法は、以下のものを含み得る。
【００９５】
第１の方式として、処理ユニット５１は、Ｘ２インターフェース又はＳ１インターフェースを介して、少なくとも１つの第１のタイプのセルの同期信号ブロックの伝送位置を取得する。（この実施例は、第１のタイプのセルを隣接セルとして例について後に説明する）。
【００９６】
具体的には、ネットワークデバイスは、Ｘ２インターフェース及びＳ１インターフェースを介して、それに隣接する他のセルの基地局デバイスに問い合わせを行うことができ、他のセルの基地局デバイスは、Ｘ２インターフェース及びＳ１インターフェースを介して、ネットワークデバイスに、他のセルの実際のＳＳ  ｂｌｏｃｋの伝送位置を通知する。
【００９７】
上記問い合わせ及び通知処理は、周期的に行われてもよい。この周期は、基地局装置が実際のＳＳ  ｂｌｏｃｋの伝送位置を更新する周期よりも小さい必要がある。
【００９８】
なお、この方式は、第１のタイプのセルと端末デバイスがあるセルとがそれぞれ異なるネットワークデバイスで管理される場面での適用がより好ましい。
【００９９】
第２の方式として、処理ユニット５１は、少なくとも１つの第１のタイプのセルに対応するネットワークデバイスにより送信されたブロードキャストメッセージを取得し、
前記ブロードキャストメッセージから、少なくとも１つの第１のタイプのセルの同期信号ブロックの伝送位置の同期信号ブロックの伝送位置を取得するように構成される。
【０１００】
ネットワークデバイスは、前記ネットワークデバイスに隣接する他のセルのブロードキャストメッセージを受信して読み取ることによって、前記ネットワークデバイスに隣接する他のセルの実際のＳＳ  ｂｌｏｃｋの伝送位置を取得する。
【０１０１】
具体的には、ネットワークデバイスは、ブロードキャストメッセージＲＭＳＩによって、自セルの実際のＳＳ  ｂｌｏｃｋの伝送位置を通知するので、ネットワークデバイスは、前記ネットワークデバイスに隣接する他のセルのブロードキャストメッセージを周期的に読み出して、隣接セルの実際のＳＳ  ｂｌｏｃｋの伝送位置を取得してもよい。
【０１０２】
なお、この方式は、第１のタイプのセルと端末デバイスがあるセルとがそれぞれ異なるネットワークデバイスで管理される場面での適用がより好ましい。
【０１０３】
また、上記の２つの方式の他に、端末デバイスが存在するセルと、第１のタイプのセル(すなわち、隣接セル)とが同一のネットワークデバイスで管理されている場合、隣接セルの同期信号ブロックの伝送位置を取得する方法は、ネットワークデバイスのセル管理情報から直接取得してもよく、ここではその説明を省略する。
【０１０４】
前記処理ユニット５１は、前記少なくとも１つの第１のタイプのセルの同期信号ブロックの伝送位置に基づいてビットマップを生成し、シグナリングにより前記ビットマップを端末デバイスに送信するように構成される。
【０１０５】
ここで、前記ビットマップを端末デバイスに送信することは、ネットワークデバイスがブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【０１０６】
前記処理ユニット５１は、少なくとも１つの第１のタイプのセルと前記ネットワークデバイスの管理するセルとが同期状態にある場合、全ての前記第１のタイプのセルの同期信号ブロックの伝送位置に基づいて、全ての第１のタイプのセルの同期信号ブロックの伝送位置を含むビットマップを生成し、
全ての第１のタイプのセルの同期信号ブロックの伝送位置を含むビットマップを、シグナリングにより端末デバイスに送信するように構成される。
【０１０７】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【０１０８】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成および具体的な実装に基づいて、異なる基地局デバイスによって送信されるＳＳ  ｂｌｏｃｋの数は、以下の図２に示されるとおりである。
【０１０９】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ２は２、３番目の２つの位置に対応し、ｃｅｌｌ２は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１が、ｂｉｔｍａｐを使用して、ｃｅｌｌ１がサービスするＵＥにｃｅｌｌ１隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【０１１０】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１１１】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１１２】
ネットワークデバイスは、測定対象である他のセルの各セルの実際の伝送位置ＳＳ  ｂｌｏｃｋをｂｉｔｍａｐの形式で通知する。
【０１１３】
上記の技術案の上で、さらに、前記少なくとも１つの第１のタイプのセルと前記ネットワークデバイスの管理するセルとの同期関係を前記端末デバイスに送信することを含み、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【０１１４】
すなわち、ネットワークデバイスは、他セルの実際のＳＳ  ｂｌｏｃｋの伝送位置をシグナリングにより端末に通知すると同時に、他セルとネットワークデバイスに対応する自セルとの同期関係、すなわち同期状態又は同期ずれを端末に通知する。
【０１１５】
前記同期状態は、前記ネットワークデバイスが、自セルが他の隣接セルと同期状態であることを前記端末ネットワークデバイスに通知することを含む。
【０１１６】
したがって、端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。 
前述の同期の場合とは異なり、自セルと隣接セルの両方で同期のずれがある場合、以下のように処理することができる。
【０１１７】
処理ユニット５１は、前記少なくとも１つの第１のタイプのセルと前記ネットワークデバイスの管理するセルとの間に同期ずれが存在する場合、前記少なくとも１つの第１のタイプのセルと前記ネットワークデバイスの管理するセルとの同期ずれを端末デバイスに送信し、
前記少なくとも１つの第１のタイプのセルの同期信号ブロックの伝送位置に基づいて、各第１のタイプのセルに対応するビットマップを生成し、
前記各第１のタイプのセルに対応するビットマップを、シグナリングにより端末デバイスに送信するように構成される。
【０１１８】
まず、ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【０１１９】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【０１２０】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【０１２１】
また、この実施例は、一部の隣接セルが自セルと同期し、他の一部の隣接セルが自セルと非同期であるシーンに対する処理方式を提供してもよい。
【０１２２】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成し、
前記第１の部分の第１のタイプのセルと前記ネットワークデバイスの管理するセルとの同期ずれを端末デバイスに送信し、前記第１の部分の第１のタイプのセルの同期信号ブロックの伝送位置に基づいて、前記第１の部分の第１のタイプのセルのうちの各第１のタイプのセルに対応するビットマップを生成し、前記第１の部分の第１のタイプのセルのうちの各第１のタイプのセルに対応するビットマップをシグナリングにより端末デバイスに送信し、
さらに、第２の部分の第１のタイプのセルの同期信号ブロックの伝送位置に基づいて、第２の部分の第１のタイプのセルの同期信号ブロックの伝送位置を含むビットマップを生成し、第２の部分の第１のタイプのセルの同期信号ブロックの伝送位置を含むビットマップを、シグナリングにより端末デバイスに送信する。
【０１２３】
例えば、４つの隣接セルのうち、隣接セル１、２と自セルとの同期関係が同期している場合、隣接セル３、４は同期ずれ、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。
【０１２４】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【０１２５】
即ち、処理ユニット５１は、前記少なくとも１つの第１のタイプのセルのうちの各第１のタイプのセルと前記ネットワークデバイスの管理するセルとの同期ずれを端末デバイスに送信し、
前記第１のタイプのセルの同期信号ブロックの伝送位置に基づいて、前記各第１のタイプのセルに対応するビットマップを生成し、
前記各第１のタイプのセルに対応するビットマップをシグナリングにより端末デバイスに送信するように構成される
このようなシーンでは、自セルに同期している隣接セルの同期ずれ＝０である。
【０１２６】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【０１２７】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【０１２８】
実施例４
この実施例は、端末デバイスを提供し、図６に示すように、情報受信ユニット６１及び測定ユニット６２を含み、
情報受信ユニット６１は、ネットワークデバイスがシグナリングにより送信した少なくとも１つの第１のタイプのセルの同期信号ブロックの伝送位置を受信するように構成され、
測定ユニット６２は、前記少なくとも１つの第１のタイプのセルの同期信号ブロックの伝送位置に基づいて、前記少なくとも１つの第１のタイプのセルの同期信号ブロックを測定するように構成される。
【０１２９】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【０１３０】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【０１３１】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【０１３２】
前記情報受信ユニットは、ネットワークデバイスからのシグナリングを受信するように構成され、
これに対応し、前記測定ユニットは、前記シグナリングからビットマップを取得し、前記ビットマップを利用して少なくとも１つの第１のタイプのセルの同期信号ブロックの伝送位置を取得するように構成される。
【０１３３】
ここで、前記ビットマップを端末デバイスに送信することは、ネットワークデバイスがブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【０１３４】
前記情報受信ユニット６１は、前記ネットワークデバイスにより送信された、前記少なくとも１つの第１のタイプのセルと前記ネットワークデバイスが管理するセルとの同期関係を受信するように構成され、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【０１３５】
前記測定ユニット６２は、少なくとも１つの第１のタイプのセルと前記ネットワークデバイスの管理するセルとが同期状態にある場合、前記ビットマップから全ての第１のタイプのセルの同期信号ブロックの伝送位置を取得するように構成される。
【０１３６】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【０１３７】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成要求および具体的な実装に基づいて、異なる基地局デバイスによって送信されるＳＳ  ｂｌｏｃｋの数は、以下の図２に示されるとおりである。
【０１３８】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ２は２、３番目の２つの位置に対応し、ｃｅｌｌ２は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１がｂｉｔｍａｐを使用して、ｃｅｌｌ１がサービスするＵＥにｃｅｌｌ１の隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【０１３９】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１４０】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１４１】
ネットワークデバイスは、測定対象である他のセルの各セルの実際の伝送位置ＳＳ  ｂｌｏｃｋをｂｉｔｍａｐの形式で通知する。
【０１４２】
端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。
【０１４３】
前述の同期の場合とは異なり、自セルと隣接セルの両方で同期のずれがある場合、以下のように処理することができる。
【０１４４】
測定ユニット６２は、前記少なくとも１つの第１のタイプのセルと前記ネットワークデバイスの管理するセルとの間に同期ずれが存在する場合、
前記少なくとも１つの第１のタイプのセルと前記ネットワークデバイスの管理するセルとの同期ずれを取得し、
各第１のタイプのセルに対応するビットマップを取得し、前記ビットマップに基づいて各第１のタイプのセルの同期信号ブロックの伝送位置を取得するように構成される。
【０１４５】
まず、ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【０１４６】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【０１４７】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【０１４８】
また、この実施例は、一部の隣接セルが自セルと同期し、他の一部の隣接セルが自セルと非同期であるシーンに対する処理方式を提供してもよい。
【０１４９】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成し、
第１の部分の第１のタイプのセルのうちの各第１のタイプのセルのビットマップに基づいて第１の部分の第１のタイプのセルの同期信号ブロックの伝送位置を取得し、
さらに、第２の部分の第１のタイプのセルのビットマップに基づいて第２の部分の第１のタイプのセルの同期信号ブロックの伝送位置を取得する。
【０１５０】
例えば、４つの隣接セルのうち、隣接セル１、２と自セルとの同期関係が同期し、隣接セル３、４は同期ずれている場合、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。したがって、端末デバイスは、隣接セル１、２の同期信号ブロックの伝送位置を含むビットマップに基づいて、隣接セル１、２の測定を行い、さらに、隣接セル３、４の同期ずれ、及び、それぞれのビットマップに基づいて、隣接セル３、４の同期信号ブロックの伝送位置における測定をそれぞれ行う。
【０１５１】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【０１５２】
即ち、測定ユニット６２は、前記少なくとも１つの第１のタイプのセルのうちの各第１のタイプのセルと前記ネットワークデバイスの管理するセルとの同期ずれを取得し、
各第１のタイプのセルに対応するビットマップを取得し、前記ビットマップから各第１のタイプのセルの同期信号ブロックの伝送位置を取得するように構成される。
【０１５３】
このようなシーンでは、自セルに同期している隣接セルの同期ずれ＝０である。
【０１５４】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【０１５５】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【０１５６】
本発明の実施例は、図７に示すように、少なくとも１つのプロセッサ７１と、メモリ７２と、少なくとも１つのネットワークインタフェース７３とを含むネットワークデバイスのハードウェア構成アーキテクチャをさらに提供する。各構成要素は、バスシステム７４によって互いに結合される。バスシステム７４は、これらの構成要素間の接続通信を可能にするために使用されることが理解される。バスシステム８４は、データバスの他に、電源バス、制御バス、ステータス信号バスを有する。ただし、説明を分かりやすくするために、図７では、各種のバスをバスシステム７４と表記している。
【０１５７】
なお、本発明の実施の形態におけるメモリ７２は、揮発性メモリであっても不揮発性メモリであってもよく、揮発性メモリと不揮発性メモリの両方を含んでもよいことは言うまでもない。
【０１５８】
いくつかの実施形態において、メモリ７２は、実行可能モジュールもしくはデータ構造、またはそれらのサブセット、またはそれらの拡張セットの要素であるオペレーティングシステム７２１およびアプリケーションプログラム７２２を記憶する。
【０１５９】
ここで、前記プロセッサ７１は、少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように構成され、ここで、前記端末デバイスが、前記ネットワークデバイスが管理する第２のタイプのセル範囲に位置する。さらに、プロセッサ７１は、前述の実施例１の方法ステップを実行することができ、ここで説明を省略する
本発明の実施例の端末デバイスは、プロセッサと、前記プロセッサで実行可能なコンピュータプログラムを記憶するメモリとを備え、
ここで、プロセッサは、コンピュータプログラムを実行することにより、前述の実施例２の方法ステップを実行する。端末デバイスのアーキテクチャは、図７と同一であり得るので、重複説明は省略される。
【０１６０】
本発明の実施例は、実行されると、前述の実施例１又は２の方法ステップを実施するコンピュータ実行可能命令を記憶したコンピュータ記憶媒体を提供する。
【０１６１】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１６２】
従って、本発明の実施例は、本発明の実施例によるデータスケジューリング方法を実行するように構成されたコンピュータプログラムを格納するコンピュータ記憶媒体をさらに提供する。
【０１６３】
以上、本発明の好ましい実施形態について説明したが、本発明はこれらの実施形態に限定されず、その要旨の範囲内で種々の変形及び変更が可能である。
【図１】
2020537836.tif 000003
【図２】
2020537836.tif 000004
【図３】
2020537836.tif 000005
【図４】
2020537836.tif 000006
【図５】
2020537836.tif 000007
【図６】
2020537836.tif 000008
【図７】
2020537836.tif 000009
【手続補正書】
【提出日】令和2年8月12日(2020.8.12)
【手続補正１】
【補正対象書類名】明細書
【補正対象項目名】全文
【補正方法】変更
【補正の内容】
【発明の詳細な説明】
【技術分野】
【０００１】
本発明は、情報処理分野に関し、特に、同期信号ブロックの位置指示方法、ネットワークデバイス、端末デバイス及びコンピュータ記憶媒体に関する。
【背景技術】
【０００２】
ＬＴＥシステムの同期チャネルはＰＳＳ、ＳＳＳ信号であり、端末がＲＲＭ測定を行う参照信号はＣＲＳまたはＣＳＩ−ＲＳ信号である。５Ｇ ＮＲシステム設計では、３ＧＰＰが結論を立て、ネットワークデバイスは、複数のＳＳ ｂｌｃｏｋを含むＳＳ ｂｕｒｓｔ ｓｅｔを端末に送信し、各ＳＳ  ｂｌｏｃｋ内にＰＳＳ、ＳＳＳ、ＰＢＣＨを含む。基地局の実装に基づいて、各ＳＳ  ｂｌｏｃｋは１つの下りビームｂｅａｍに対応し得る。端末は、システム帯域幅内でＳＳ ｂｌｏｃｋを検索して時間周波数同期をとり、ＰＢＣＨ情報を取得し、ＳＳＳとＰＢＣＨのＤＭＲＳによるＲＲＭ測定を行う。
【０００３】
現在、３ＧＰＰでも結論づけられ、１つのＳＳ ｂｕｒｓｔ ｓｅｔにおける実際の送信のＳＳ ｂｌｏｃｋ位置は、端末のサービングセルによって、ブロードキャストシグナリングＲＭＳＩにより、ｂｉｔｍａｐ方式で端末に通知され得る。
【０００４】
しかしながら、上記従来技術の処理方式は、現在のセルのみに対して同期信号を取得するため、端末デバイスの端末測定時間及び消費電力のオーバーヘッドを低減することを保証するものではない。
【発明の概要】
【０００５】
上記の技術課題を解決するために、本発明の実施例は、同期信号ブロックの位置指示方法、ネットワークデバイス、端末デバイス及びコンピュータ記憶媒体を提供する。
【０００６】
本発明の実施例における同期信号ブロックの位置指示方法は、ネットワークデバイスに応用され、
少なくとも１つの第１のタイプのセルの同期信号ブロックの伝送位置を確定することと、
前記少なくとも１つの第１のタイプのセルの同期信号ブロックの伝送位置を、シグナリングにより端末デバイスに送信することとを含み、ここで、前記端末デバイスが、前記ネットワークデバイスが管理する第２のタイプのセル範囲に位置する。
【０００７】
本発明の実施例は、端末デバイスに応用される同期信号ブロックの位置指示方法を提供し、前記方法は、
ネットワークデバイスがシグナリングにより送信した少なくとも１つの第１のタイプのセルの同期信号ブロックの伝送位置を受信することと、
前記少なくとも１つの第１のタイプのセルの同期信号ブロックの伝送位置に基づいて、前記少なくとも１つの第１のタイプのセルの同期信号ブロックを測定することとを含む。
【０００８】
本発明の実施例は、ネットワークデバイスを提供し、処理ユニット及び通信ユニットを含み、
処理ユニットは、少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように制御するように構成され、ここで、前記端末デバイスが、前記ネットワークデバイスが管理する第２のタイプのセル範囲に位置し、
通信ユニットは、シグナリングを端末デバイスに送信するように構成される。
【０００９】
本発明の実施例は、端末デバイスを提供し、情報受信ユニット及び測定ユニットを含み、
情報受信ユニットは、ネットワークデバイスがシグナリングにより送信した少なくとも１つの第１のタイプのセルの同期信号ブロックの伝送位置を受信するように構成され、
測定ユニットは、前記少なくとも１つの第１のタイプのセルの同期信号ブロックの伝送位置に基づいて、前記少なくとも１つの第１のタイプのセルの同期信号ブロックを測定するように構成される。
【００１０】
本発明の実施例のネットワークデバイスは、プロセッサと、前記プロセッサで実行可能なコンピュータプログラムを記憶するメモリとを備え、
ここで、プロセッサは、コンピュータプログラムを実行することによって、前述の方法のステップを実行する。
【００１１】
本発明の実施例の端末デバイスは、プロセッサと、前記プロセッサで実行可能なコンピュータプログラムを記憶するメモリとを備え、
ここで、プロセッサは、コンピュータプログラムを実行することによって、前述の方法のステップを実行する。
【００１２】
本発明の実施例のコンピュータ記憶媒体は、実行されると、前述の方法のステップを実行するコンピュータ実行可能命令を記憶している。
【００１３】
本発明の実施例の技術案は、端末デバイスに第１のタイプのセルの同期信号ブロックの伝送位置を送信することによって、端末デバイスが、通知された第１のタイプのセルの同期信号ブロックの伝送位置に対応する時間に隣接セルの測定を直接行うことを保証し、他の場所では測定を行わないことによって、端末の測定時間と消費電力のオーバーヘッドを節約する。
【図面の簡単な説明】
【００１４】
【図１】本発明の実施例における同期信号ブロックの位置指示方法のフローチャート１である。
【図２】本発明の実施例のシーンの模式図１である。
【図３】本発明の実施例のシーンの模式図２である。
【図４】本発明の実施例における同期信号ブロックの位置指示方法のフローチャート２である。
【図５】本発明の実施例におけるネットワークデバイスの構成図である。
【図６】本発明の実施例における端末デバイスの構成図である。
【図７】本発明の実施例におけるハードウェアアーキテクチャの概略図である。
【発明を実施するための形態】
【００１５】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１６】
実施例１
この実施例は、同期信号ブロックの位置指示方法を提供し、図１に示すように、ステップ１０１とステップ１０２を含み、
ステップ１０１において、少なくとも１つの第１のタイプのセルの同期信号ブロックの伝送位置を確定する。
【００１７】
ステップ１０２において、前記少なくとも１つの第１のタイプのセルの同期信号ブロックの伝送位置を、シグナリングにより端末デバイスに送信し、ここで、前記端末デバイスが、前記ネットワークデバイスが管理する第２のタイプのセル範囲に位置する。
【００１８】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【００１９】
なお、第１のタイプのセルとは、端末デバイスが存在するセルに隣接するセルをいい、隣接セルであってもよい。
【００２０】
また、端末デバイスは、ネットワークデバイスが管理するセル内に位置し、ネットワークデバイスが管理する複数のセルのうちの１つのセル内に位置してもよい。
【００２１】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【００２２】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【００２３】
上記ステップ１０１において、ネットワークデバイスが、前記ネットワークデバイスに隣接する他のセルの実際の同期信号ブロック( ＳＳ  ｂｌｏｃｋ )の伝送位置を決定する方法は、以下のものを含み得る。
【００２４】
第１の方式として、Ｘ２インターフェース又はＳ１インターフェースを介して、少なくとも１つの第１のタイプのセルの同期信号ブロックの伝送位置を取得する。（この実施例は、第１のタイプのセルを隣接セルとして例について後に説明する）
具体的には、ネットワークデバイスは、Ｘ２インターフェース及びＳ１インターフェースを介して、それに隣接する他のセルの基地局デバイスに問い合わせを行うことができ、他のセルの基地局デバイスは、Ｘ２インターフェース及びＳ１インターフェースを介して、ネットワークデバイスに、他のセルの実際のＳＳ  ｂｌｏｃｋの伝送位置を通知する。
【００２５】
上記問い合わせ及び通知処理は、周期的に行われてもよい。この周期は、基地局装置が実際のＳＳ  ｂｌｏｃｋの伝送位置を更新する周期よりも小さい必要がある。
【００２６】
なお、この方式は、第１のタイプのセルと端末デバイスがあるセルとがそれぞれ異なるネットワークデバイスで管理される場面での適用がより好ましい。
【００２７】
第２の方式として、少なくとも１つの第１のタイプのセルに対応するネットワークデバイスにより送信されたブロードキャストメッセージを取得し、
前記ブロードキャストメッセージから、少なくとも１つの第１のタイプのセルの同期信号ブロックの伝送位置の同期信号ブロックの伝送位置を取得する。
【００２８】
ネットワークデバイスは、前記ネットワークデバイスに隣接する他のセルのブロードキャストメッセージを受信して読み取ることによって、前記ネットワークデバイスに隣接する他のセルの実際のＳＳ  ｂｌｏｃｋの伝送位置を取得する。
【００２９】
具体的には、ネットワークデバイスは、ブロードキャストメッセージＲＭＳＩによって、自セルの実際のＳＳ  ｂｌｏｃｋの伝送位置を通知するので、ネットワークデバイスは、前記ネットワークデバイスに隣接する他のセルのブロードキャストメッセージを周期的に読み出して、隣接セルの実際のＳＳ  ｂｌｏｃｋの伝送位置を取得してもよい。
【００３０】
なお、この方式は、第１のタイプのセルと端末デバイスがあるセルとがそれぞれ異なるネットワークデバイスで管理される場面での適用がより好ましい。
【００３１】
また、上記の２つの方式の他に、端末デバイスが存在するセルと、第１のタイプのセル(すなわち、隣接セル)とが同一のネットワークデバイスで管理されている場合、隣接セルの同期信号ブロックの伝送位置を取得する方法は、ネットワークデバイスのセル管理情報から直接取得してもよく、ここではその説明を省略する。
【００３２】
上記ステップ１０２において、前記少なくとも１つの第１のタイプのセルの同期信号ブロックの伝送位置を、シグナリングにより端末デバイスに送信することは、
前記少なくとも１つの第１のタイプのセルの同期信号ブロックの伝送位置に基づいてビットマップを生成し、シグナリングにより前記ビットマップを端末デバイスに送信することを含む。
【００３３】
ここで、前記ビットマップを端末デバイスに送信することは、ネットワークデバイスががブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【００３４】
前記少なくとも１つの第１のタイプのセルの同期信号ブロックの伝送位置に基づいてビットマップを生成し、シグナリングにより前記ビットマップを端末デバイスに送信することは、
少なくとも１つの第１のタイプのセルと前記ネットワークデバイスの管理するセルとが同期状態にある場合、全ての前記第１のタイプのセルの同期信号ブロックの伝送位置に基づいて、全ての隣接セルの同期信号ブロックの伝送位置を含むビットマップを生成し、
全ての第１のタイプのセルの同期信号ブロックの伝送位置を含むビットマップを、シグナリングにより端末デバイスに送信することとを含む。
【００３５】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【００３６】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成および具体的な実装に基づいて、異なる基地局デバイスによって送信されるＳＳ  ｂｌｏｃｋの数は、以下の図２に示されるとおりである。
【００３７】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ３は２、３番目の２つの位置に対応し、ｃｅｌｌ４は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１が、ｂｉｔｍａｐを使用して、ｃｅｌｌ１がサービスするＵＥにｃｅｌｌ１隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【００３８】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００３９】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００４０】
ネットワークデバイスは、測定対象である他のセルの各セルの実際の伝送位置ＳＳ  ｂｌｏｃｋをｂｉｔｍａｐの形式で通知する。
【００４１】
上記の技術案の上で、さらに、前記少なくとも１つの第１のタイプのセルと前記ネットワークデバイスの管理するセルとの同期関係を前記端末デバイスに送信することを含み、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【００４２】
すなわち、ネットワークデバイスは、他セルの実際のＳＳ  ｂｌｏｃｋの伝送位置をシグナリングにより端末に通知すると同時に、他セルとネットワークデバイスに対応する自セルとの同期関係、すなわち同期状態又は同期ずれを端末に通知する。
【００４３】
前記同期状態は、前記ネットワークデバイスが、自セルが他の隣接セルと同期状態であることを前記端末ネットワークデバイスに通知することを含む。
【００４４】
したがって、端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。
【００４５】
前述の同期の場合とは異なり、自セルと隣接セルの両方で同期のずれがある場合、以下のように処理することができる。
【００４６】
前記少なくとも１つの第１のタイプのセルと前記ネットワークデバイスの管理するセルとの間に同期ずれが存在する場合、前記少なくとも１つの隣接セルと前記ネットワークデバイスの管理するセルとの同期ずれを端末デバイスに送信し、
前記少なくとも１つの第１のタイプのセルの同期信号ブロックの伝送位置に基づいて、各隣接セルに対応するビットマップを生成し、
前記各第１のタイプのセルに対応するビットマップを、シグナリングにより端末デバイスに送信する。
【００４７】
ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれとに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【００４８】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【００４９】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【００５０】
また、この実施例は、一部の隣接セルが自セルと同期し、他の一部の隣接セルが自セルと非同期であるシーンに対する処理方式を提供してもよい。
【００５１】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ前記第１の部分の第１のタイプのセルと前記第２の部分の第１のタイプのセルとが全ての隣接のセルを構成する。
【００５２】
前記第１の部分の第１のタイプのセルと前記ネットワークデバイスの管理するセルとの同期ずれを端末デバイスに送信し、前記第１の部分の第１のタイプのセルの同期信号ブロックの伝送位置に基づいて、前記第１の部分の第１のタイプのセルのうちの各第１のタイプのセルに対応するビットマップを生成し、前記第１の部分の第１のタイプのセルのうちの各第１のタイプのセルに対応するビットマップをシグナリングにより端末デバイスに送信し、
さらに、第２の部分の第１のタイプのセルの同期信号ブロックの伝送位置に基づいて、第２の部分の第１のタイプのセルの同期信号ブロックの伝送位置を含むビットマップを生成し、第２の部分の第１のタイプのセルの同期信号ブロックの伝送位置を含むビットマップを、シグナリングにより端末デバイスに送信する。
【００５３】
例えば、４つの隣接セルのうち、隣接セル１、２と自セルとの同期関係が同期している場合、隣接セル３、４は同期ずれ、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。
【００５４】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【００５５】
即ち、前記少なくとも１つの第１のタイプのセルのうちの各第１のタイプのセルと前記ネットワークデバイスの管理するセルとの同期ずれを端末デバイスに送信し、
前記第１のタイプのセルの同期信号ブロックの伝送位置に基づいて、前記各第１のタイプのセルに対応するビットマップを生成し、
前記各第１のタイプのセルに対応するビットマップをシグナリングにより端末デバイスに送信する。
【００５６】
このようなシーンでは、自セルに同期している隣接セルの同期ずれ＝０である。
【００５７】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【００５８】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【００５９】
実施例２
この実施例は同期信号ブロックの位置指示方法を提供し、端末デバイスに応用され、図４に示すように、ステップ４０１〜４０２を含み、
ステップ４０１において、ネットワークデバイスがシグナリングにより送信した少なくとも１つの第１のタイプのセルの同期信号ブロックの伝送位置を受信する。
【００６０】
ステップ４０２において、前記少なくとも１つの第１のタイプのセルの同期信号ブロックの伝送位置に基づいて、前記少なくとも１つの第１のタイプのセルの同期信号ブロックを測定する。
【００６１】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【００６２】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【００６３】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【００６４】
前記ネットワークデバイスがシグナリングにより送信した少なくとも１つの第１のタイプのセルの同期信号ブロックの伝送位置を受信することは、
ネットワークデバイスからのシグナリングを受信することと、
前記シグナリングからビットマップを取得し、前記ビットマップを利用して少なくとも１つの第１のタイプのセルの同期信号ブロックの伝送位置を取得することとを含む。
【００６５】
ここで、前記ビットマップを端末デバイスに送信することは、ネットワークデバイスががブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【００６６】
前記方法は、さらに、
前記ネットワークデバイスにより送信された、前記少なくとも１つの第１のタイプのセルと前記ネットワークデバイスが管理するセルとの同期関係を受信することを含み、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【００６７】
前記シグナリングからビットマップを取得し、前記ビットマップを利用して少なくとも１つの第１のタイプのセルの同期信号ブロックの伝送位置を取得することは、
少なくとも１つの第１のタイプのセルと前記ネットワークデバイスの管理するセルとが同期状態にある場合、前記ビットマップから全ての第１のタイプのセルの同期信号ブロックの伝送位置を取得することを含む。
【００６８】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【００６９】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成要求および具体的な実装に基づいて、異なる基地局デバイスによって送信されるＳＳ  ｂｌｏｃｋの数は、以下の図２に示されるとおりである。
【００７０】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ３は２、３番目の２つの位置に対応し、ｃｅｌｌ４は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１がｂｉｔｍａｐを使用して、ｃｅｌｌ１がサービスするＵＥにｃｅｌｌ１の隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【００７１】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００７２】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【００７３】
ネットワークデバイスは、測定対象である他のセルの各セルのＳＳ  ｂｌｏｃｋの実際の伝送位置をｂｉｔｍａｐの形式で通知する。
【００７４】
端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。
【００７５】
前述の同期の場合とは異なり、自セルと隣接セルの両方で同期のずれがある場合、以下のように処理することができる。
【００７６】
前記少なくとも１つの第１のタイプのセルと前記ネットワークデバイスの管理するセルとの間に同期ずれが存在する場合、
前記少なくとも１つの第１のタイプのセルと前記ネットワークデバイスの管理するセルとの同期ずれを取得し、
各第１のタイプのセルに対応するビットマップを取得し、前記ビットマップに基づいて各第１のタイプのセルの同期信号ブロックの伝送位置を取得する。
【００７７】
まず、ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれとに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【００７８】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【００７９】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【００８０】
また、この実施例は、一部の隣接セルが自セルと同期し、他の一部の隣接セルが自セルと非同期であるシーンに対する処理方式を提供してもよい。
【００８１】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成し、
第１の部分の第１のタイプのセルのうちの各第１のタイプのセルのビットマップに基づいて第１の部分の第１のタイプのセルの同期信号ブロックの伝送位置を取得し、
さらに、第２の部分の第１のタイプのセルのビットマップに基づいて第２の部分の第１のタイプのセルの同期信号ブロックの伝送位置を取得する。
【００８２】
例えば、４つの隣接セルのうち、隣接セル１、２と自セルとの同期関係が同期し、隣接セル３、４は同期ずれている場合、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。したがって、端末デバイスは、隣接セル１、２の同期信号ブロックの伝送位置を含むビットマップに基づいて、隣接セル１、２の測定を行い、さらに、隣接セル３、４の同期ずれ、及び、それぞれのビットマップに基づいて、隣接セル３、４の同期信号ブロックの伝送位置における測定をそれぞれ行う。
【００８３】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【００８４】
即ち、前記少なくとも１つの第１のタイプのセルのうちの各第１のタイプのセルと前記ネットワークデバイスの管理するセルとの同期ずれを取得し、
各第１のタイプのセルに対応するビットマップを取得し、前記ビットマップから各第１のタイプのセルの同期信号ブロックの伝送位置を取得する。
【００８５】
このようなシーンでは、自セルに同期している隣接セルの同期ずれ＝０である。
【００８６】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【００８７】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【００８８】
実施例３
この実施例は、ネットワークデバイスを提供し、図５に示すように、処理ユニット５１及び通信ユニット５２を含み、
処理ユニット５１は、少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように制御するように構成され、ここで、前記端末デバイスが、前記ネットワークデバイスが管理する第２のタイプのセル範囲に位置し、
通信ユニット５２は、シグナリングを端末デバイスに送信するように構成される。
【００８９】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【００９０】
なお、第１のタイプのセルとは、端末デバイスが存在するセルに隣接するセルをいい、隣接セルであってもよい。
【００９１】
また、端末デバイスは、ネットワークデバイスが管理するセル内に位置し、ネットワークデバイスが管理する複数のセルのうちの１つのセル内に位置してもよい。
【００９２】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【００９３】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【００９４】
ネットワークデバイスが、前記ネットワークデバイスに隣接する他のセルの実際の同期信号ブロック( ＳＳ  ｂｌｏｃｋ )の伝送位置を決定する方法は、以下のものを含み得る。
【００９５】
第１の方式として、処理ユニット５１は、Ｘ２インターフェース又はＳ１インターフェースを介して、少なくとも１つの第１のタイプのセルの同期信号ブロックの伝送位置を取得する。（この実施例は、第１のタイプのセルを隣接セルとして例について後に説明する）。
【００９６】
具体的には、ネットワークデバイスは、Ｘ２インターフェース及びＳ１インターフェースを介して、それに隣接する他のセルの基地局デバイスに問い合わせを行うことができ、他のセルの基地局デバイスは、Ｘ２インターフェース及びＳ１インターフェースを介して、ネットワークデバイスに、他のセルの実際のＳＳ  ｂｌｏｃｋの伝送位置を通知する。
【００９７】
上記問い合わせ及び通知処理は、周期的に行われてもよい。この周期は、基地局装置が実際のＳＳ  ｂｌｏｃｋの伝送位置を更新する周期よりも小さい必要がある。
【００９８】
なお、この方式は、第１のタイプのセルと端末デバイスがあるセルとがそれぞれ異なるネットワークデバイスで管理される場面での適用がより好ましい。
【００９９】
第２の方式として、処理ユニット５１は、少なくとも１つの第１のタイプのセルに対応するネットワークデバイスにより送信されたブロードキャストメッセージを取得し、
前記ブロードキャストメッセージから、少なくとも１つの第１のタイプのセルの同期信号ブロックの伝送位置の同期信号ブロックの伝送位置を取得するように構成される。
【０１００】
ネットワークデバイスは、前記ネットワークデバイスに隣接する他のセルのブロードキャストメッセージを受信して読み取ることによって、前記ネットワークデバイスに隣接する他のセルの実際のＳＳ  ｂｌｏｃｋの伝送位置を取得する。
【０１０１】
具体的には、ネットワークデバイスは、ブロードキャストメッセージＲＭＳＩによって、自セルの実際のＳＳ  ｂｌｏｃｋの伝送位置を通知するので、ネットワークデバイスは、前記ネットワークデバイスに隣接する他のセルのブロードキャストメッセージを周期的に読み出して、隣接セルの実際のＳＳ  ｂｌｏｃｋの伝送位置を取得してもよい。
【０１０２】
なお、この方式は、第１のタイプのセルと端末デバイスがあるセルとがそれぞれ異なるネットワークデバイスで管理される場面での適用がより好ましい。
【０１０３】
また、上記の２つの方式の他に、端末デバイスが存在するセルと、第１のタイプのセル(すなわち、隣接セル)とが同一のネットワークデバイスで管理されている場合、隣接セルの同期信号ブロックの伝送位置を取得する方法は、ネットワークデバイスのセル管理情報から直接取得してもよく、ここではその説明を省略する。
【０１０４】
前記処理ユニット５１は、前記少なくとも１つの第１のタイプのセルの同期信号ブロックの伝送位置に基づいてビットマップを生成し、シグナリングにより前記ビットマップを端末デバイスに送信するように構成される。
【０１０５】
ここで、前記ビットマップを端末デバイスに送信することは、ネットワークデバイスががブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【０１０６】
前記処理ユニット５１は、少なくとも１つの第１のタイプのセルと前記ネットワークデバイスの管理するセルとが同期状態にある場合、全ての前記第１のタイプのセルの同期信号ブロックの伝送位置に基づいて、全ての第１のタイプのセルの同期信号ブロックの伝送位置を含むビットマップを生成し、
全ての第１のタイプのセルの同期信号ブロックの伝送位置を含むビットマップを、シグナリングにより端末デバイスに送信するように構成される。
【０１０７】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【０１０８】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成および具体的な実装に基づいて、異なる基地局デバイスによって送信されるＳＳ  ｂｌｏｃｋの数は、以下の図２に示されるとおりである。
【０１０９】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ３は２、３番目の２つの位置に対応し、ｃｅｌｌ４は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１が、ｂｉｔｍａｐを使用して、ｃｅｌｌ１がサービスするＵＥにｃｅｌｌ１隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【０１１０】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１１１】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１１２】
ネットワークデバイスは、測定対象である他のセルの各セルの実際の伝送位置ＳＳ  ｂｌｏｃｋをｂｉｔｍａｐの形式で通知する。
【０１１３】
上記の技術案の上で、さらに、前記少なくとも１つの第１のタイプのセルと前記ネットワークデバイスの管理するセルとの同期関係を前記端末デバイスに送信することを含み、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【０１１４】
すなわち、ネットワークデバイスは、他セルの実際のＳＳ  ｂｌｏｃｋの伝送位置をシグナリングにより端末に通知すると同時に、他セルとネットワークデバイスに対応する自セルとの同期関係、すなわち同期状態又は同期ずれを端末に通知する。
【０１１５】
前記同期状態は、前記ネットワークデバイスが、自セルが他の隣接セルと同期状態であることを前記端末ネットワークデバイスに通知することを含む。
【０１１６】
したがって、端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。 
前述の同期の場合とは異なり、自セルと隣接セルの両方で同期のずれがある場合、以下のように処理することができる。
【０１１７】
処理ユニット５１は、前記少なくとも１つの第１のタイプのセルと前記ネットワークデバイスの管理するセルとの間に同期ずれが存在する場合、前記少なくとも１つの第１のタイプのセルと前記ネットワークデバイスの管理するセルとの同期ずれを端末デバイスに送信し、
前記少なくとも１つの第１のタイプのセルの同期信号ブロックの伝送位置に基づいて、各第１のタイプのセルに対応するビットマップを生成し、
前記各第１のタイプのセルに対応するビットマップを、シグナリングにより端末デバイスに送信するように構成される。
【０１１８】
まず、ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれとに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【０１１９】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【０１２０】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【０１２１】
また、この実施例は、一部の隣接セルが自セルと同期し、他の一部の隣接セルが自セルと非同期であるシーンに対する処理方式を提供してもよい。
【０１２２】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成し、
前記第１の部分の第１のタイプのセルと前記ネットワークデバイスの管理するセルとの同期ずれを端末デバイスに送信し、前記第１の部分の第１のタイプのセルの同期信号ブロックの伝送位置に基づいて、前記第１の部分の第１のタイプのセルのうちの各第１のタイプのセルに対応するビットマップを生成し、前記第１の部分の第１のタイプのセルのうちの各第１のタイプのセルに対応するビットマップをシグナリングにより端末デバイスに送信し、
さらに、第２の部分の第１のタイプのセルの同期信号ブロックの伝送位置に基づいて、第２の部分の第１のタイプのセルの同期信号ブロックの伝送位置を含むビットマップを生成し、第２の部分の第１のタイプのセルの同期信号ブロックの伝送位置を含むビットマップを、シグナリングにより端末デバイスに送信する。
【０１２３】
例えば、４つの隣接セルのうち、隣接セル１、２と自セルとの同期関係が同期している場合、隣接セル３、４は同期ずれ、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。
【０１２４】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【０１２５】
即ち、処理ユニット５１は、前記少なくとも１つの第１のタイプのセルのうちの各第１のタイプのセルと前記ネットワークデバイスの管理するセルとの同期ずれを端末デバイスに送信し、
前記第１のタイプのセルの同期信号ブロックの伝送位置に基づいて、前記各第１のタイプのセルに対応するビットマップを生成し、
前記各第１のタイプのセルに対応するビットマップをシグナリングにより端末デバイスに送信するように構成される
このようなシーンでは、自セルに同期している隣接セルの同期ずれ＝０である。
【０１２６】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【０１２７】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【０１２８】
実施例４
この実施例は、端末デバイスを提供し、図６に示すように、情報受信ユニット６１及び測定ユニット６２を含み、
情報受信ユニット６１は、ネットワークデバイスがシグナリングにより送信した少なくとも１つの第１のタイプのセルの同期信号ブロックの伝送位置を受信するように構成され、
測定ユニット６２は、前記少なくとも１つの第１のタイプのセルの同期信号ブロックの伝送位置に基づいて、前記少なくとも１つの第１のタイプのセルの同期信号ブロックを測定するように構成される。
【０１２９】
ここで、前記ネットワークデバイスは、端末デバイスに移動通信ネットワークへのアクセス機能を提供できるものであれば、基地局、例えばｅＮＢ、ｇＮＢ等の機器であってもよいし、他のネットワークデバイスであってもよい。
【０１３０】
非ＣＡ(キャリアアグリゲーション)シーンでは、端末デバイスが位置するセルは、第２のタイプのセルと呼ばれてもよいし、端末デバイスのサービングセルとも呼ばれてもよく、この実施例において端末がある第２のタイプのセルと、第１のタイプのセル(即ち、隣接セル)とは、同じネットワークデバイスが管理する複数のセルであってもよいし、当然、異なるネットワークデバイスが管理するセルであってもよい。
【０１３１】
ＣＡシーンでは、端末デバイスが位置するセルのうち、Ｐセル(すなわち、プライマリセル、Ｐｒｉｍａｒｙセル)は、第２のタイプのセルと呼ばれ、上記Ｐセル以外のセル(端末デバイスのＳセル、即ち、２次セルを含む)は、第１のタイプのセルに分類される。本シーンにおいて端末が位置する第２のタイプのセルと、第１のタイプのセル(即ち、隣接セル)とは、同じネットワークデバイスが管理する複数のセルであってもよいし、もちろん、異なるネットワークデバイスが管理するセルであってもよい。
【０１３２】
前記情報受信ユニットは、ネットワークデバイスからのシグナリングを受信するように構成され、
これに対応し、前記測定ユニットは、前記シグナリングからビットマップを取得し、前記ビットマップを利用して少なくとも１つの第１のタイプのセルの同期信号ブロックの伝送位置を取得するように構成される。
【０１３３】
ここで、前記ビットマップを端末デバイスに送信することは、ネットワークデバイスががブロードキャストシグナリングを介して端末に前記他のセルの実際のＳＳ  ｂｌｏｃｋの伝送位置を通知すること、
又は、ネットワークデバイスがＲＲＣ専用シグナリングを介して端末に前記他のセルの実際のＳＳ  ｂｌｏｃｋの伝送位置に通知することである。
【０１３４】
前記情報受信ユニット６１は、前記ネットワークデバイスにより送信された、前記少なくとも１つの第１のタイプのセルと前記ネットワークデバイスが管理するセルとの同期関係を受信するように構成され、
ここで、前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む。
【０１３５】
前記測定ユニット６２は、少なくとも１つの第１のタイプのセルと前記ネットワークデバイスの管理するセルとが同期状態にある場合、前記ビットマップから全ての第１のタイプのセルの同期信号ブロックの伝送位置を取得するように構成される。
【０１３６】
すなわち、ネットワークデバイスは、全ての隣接セルの同期信号ブロックの伝送位置を１つのビットマップにまとめ、１つのビットマップ（ｂｉｔｍａｐ）の形式で他セルの実際のＳＳ  ｂｌｏｃｋの伝送位置を通知する。すなわち、このｂｉｔｍａｐは、通知すべき他のセルの実際のＳＳ  ｂｌｏｃｋ位置のフルセットをすべて含んでいる。
【０１３７】
例えば、図２を参照すると、ネットワークデバイスと端末が３〜６ＧＨｚの周波数帯域で動作している場合、１つのＳＳ ｂｕｒｓｔ ｓｅｔにおいて最大８個のＳＳ  ｂｌｏｃｋを伝送することができる。ネットワークの実際の構成要求および具体的な実装に基づいて、異なる基地局デバイスによって送信されるＳＳ  ｂｌｏｃｋの数は、以下の図２に示されるとおりである。
【０１３８】
例えば、ｃｅｌｌ１、２、３、４は互いに隣接するセルであり、ｃｅｌｌ１が実際に伝送するＳＳ  ｂｌｏｃｋの位置は、８個のＳＳ  ｂｌｏｃｋ位置候補の１番目の位置であり、ｃｅｌｌ２は１、２番目の２つの位置に対応し、ｃｅｌｌ３は２、３番目の２つの位置に対応し、ｃｅｌｌ４は１、３番目の２つの位置に対応し、
ｃｅｌｌ１に対して、ｃｅｌｌ２、３、４がその隣接セルであり、ｃｅｌｌ２、３、４が１、２、３、４番目のＳＳ  ｂｌｏｃｋの位置を使用しているとすると、ｃｅｌｌ１がｂｉｔｍａｐを使用して、ｃｅｌｌ１がサービスするＵＥにｃｅｌｌ１の隣接セルの実際のＳＳ  ｂｌｏｃｋの伝送位置を通知する場合、ｂｉｔｍａｐは「１１１１００００」となる。ここで、「１」は、候補位置でＳＳ  ｂｌｏｃｋが伝送されたことを示し、「０」は、候補位置でＳＳ  ｂｌｏｃｋが伝送されなかったことを示す。
【０１３９】
ｃｅｌｌ３に対して、ｃｅｌｌ１、２、４がその隣接セルであり、ｃｅｌｌ１、２、４が１、２、３番目のＳＳ  ｂｌｏｃｋの位置を使用しているとすると、ｃｅｌｌ３がｂｉｔｍａｐを使用して、ｃｅｌｌ３がサービスするＵＥにその隣接セルの実際のＳＳ  ｂｌｏｃｋの伝送位置を通知する場合、ｂｉｔｍａｐは「１１１０００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１４０】
ｃｅｌｌ４に対して、ｃｅｌｌ１、２、３がその隣接セルであり、ｃｅｌｌ１、２、３が１、２、４番目のＳＳ  ｂｌｏｃｋの位置を使用しているとすると、ｃｅｌｌ４がｂｉｔｍａｐを使用して、ｃｅｌｌ４がサービスするＵＥにその隣接セルの実際のＳＳ  ｂｌｏｃｋの伝送位置を通知する場合、ｂｉｔｍａｐは「１１０１００００」である。ここで、「１」は、候補位置でＳＳ  ｂｌｏｃｋが伝送されたことを示し、「０」は、候補位置でＳＳ  ｂｌｏｃｋが伝送されなかったことを示す。
【０１４１】
ネットワークデバイスは、測定対象である他のセルの各セルの実際の伝送位置ＳＳ  ｂｌｏｃｋをｂｉｔｍａｐの形式で通知する。
【０１４２】
端末が測定を実施するとき、端末は、自セルと隣接セルとの間が同期している場合、隣接セルによって伝送されたＳＳ  ｂｌｏｃｋの実際の位置を特定することができる。端末は、自セルのタイミングに基づいて、隣接セルのＳＳ  ｂｌｏｃｋの実位置を直接に取得する。
【０１４３】
前述の同期の場合とは異なり、自セルと隣接セルの両方で同期のずれがある場合、以下のように処理することができる。
【０１４４】
測定ユニット６２は、前記少なくとも１つの第１のタイプのセルと前記ネットワークデバイスの管理するセルとの間に同期ずれが存在する場合、
前記少なくとも１つの第１のタイプのセルと前記ネットワークデバイスの管理するセルとの同期ずれを取得し、
各第１のタイプのセルに対応するビットマップを取得し、前記ビットマップに基づいて各第１のタイプのセルの同期信号ブロックの伝送位置を取得するように構成される。
【０１４５】
まず、ネットワークデバイスは、他セルとネットワークデバイスに対応する自セルとの間の同期ずれを端末に通知する。従って、端末が測定を行う際に、自セルと隣接セルとの同期がはずれている場合、端末は、通知情報とセル間のタイミングのずれとに基づいて、隣接セルで伝送されたＳＳ  ｂｌｏｃｋの実際の位置を特定することができる。端末は、自セルのタイミングに測定対象である隣接セルのタイミングオフセットを直接加算して、前記測定対象である隣接セルのＳＳ  ｂｌｏｃｋの実際の位置を得る。
【０１４６】
例えば、図３に示すように、ｃｅｌｌ１とｃｅｌｌ３が同期しており、ｃｅｌｌ２がｃｅｌｌ１、３に対して０.５ｍｓ後方にずれている場合、ｃｅｌｌ２の１番目の候補ＳＳ  ｂｌｏｃｋ位置は、ｃｅｌｌ１の２番目の候補ＳＳ  ｂｌｏｃｋ位置に対応し、ｃｅｌｌ４がｃｅｌｌ１、３に対して１ｍｓ後方にずれているとすると、ｃｅｌｌ４の１番目の候補ＳＳ  ｂｌｏｃｋ位置は、ｃｅｌｌ１の３番目の候補ＳＳ  ｂｌｏｃｋ位置に対応する。
【０１４７】
例えば、ｃｅｌｌ１は、ｃｅｌｌ２、３、４とｃｅｌｌ１の時間ずれをそれぞれ端末に通知し、端末は、２.４におけるｃｅｌｌ２、３、４の各セル毎の実際のＳＳ  ｂｌｃｏｋ伝送位置を参照することで、各セル毎の実際のＳＳ  ｂｌｃｏｋ伝送の受信時間を判定することができる。
【０１４８】
また、この実施例は、一部の隣接セルが自セルと同期し、他の一部の隣接セルが自セルと非同期であるシーンに対する処理方式を提供してもよい。
【０１４９】
前記少なくとも１つの第１のタイプのセルのうちの第１の部分の第１のタイプのセルと前記ネットワークデバイスの管理するセルとの間に同期ずれが存在し、且つ、前記第１のタイプのセルのうちの第２の部分の第１のタイプのセルと前記ネットワークデバイスの管理するセルとが同期状態にある場合、ここで、前記第１の部分の第１のタイプのセルと前記第２の部分の第１のタイプのセルとが異なり、且つ、前記第１の部分の第１のタイプのセルと前記第２の部分の第１のタイプのセルとが全ての第１のタイプのセルを構成し、
第１の部分の第１のタイプのセルのうちの各第１のタイプのセルのビットマップに基づいて第１の部分の第１のタイプのセルの同期信号ブロックの伝送位置を取得し、
さらに、第２の部分の第１のタイプのセルのビットマップに基づいて第２の部分の第１のタイプのセルの同期信号ブロックの伝送位置を取得する。
【０１５０】
例えば、４つの隣接セルのうち、隣接セル１、２と自セルとの同期関係が同期し、隣接セル３、４は同期ずれている場合、隣接セル１、２の同期信号ブロックの伝送位置をビットマップに全て設定して端末デバイスに送信し、隣接セル３、４の同期ずれ、隣接セル３の同期信号ブロックの伝送位置のビットマップ、隣接セル４の同期信号ブロックの伝送位置のビットマップを端末デバイスに送信する。したがって、端末デバイスは、隣接セル１、２の同期信号ブロックの伝送位置を含むビットマップに基づいて、隣接セル１、２の測定を行い、さらに、隣接セル３、４の同期ずれ、及び、それぞれのビットマップに基づいて、隣接セル３、４の同期信号ブロックの伝送位置における測定をそれぞれ行う。
【０１５１】
また、他の処理方式として、隣接セルと自セルとの同期ずれの有無に関わらず、隣接セルの同期ずれと、隣接セルの同期信号ブロックの伝送位置のビットマップを端末デバイスに送信する処理を行う。
【０１５２】
即ち、測定ユニット６２は、前記少なくとも１つの第１のタイプのセルのうちの各第１のタイプのセルと前記ネットワークデバイスの管理するセルとの同期ずれを取得し、
各第１のタイプのセルに対応するビットマップを取得し、前記ビットマップから各第１のタイプのセルの同期信号ブロックの伝送位置を取得するように構成される。
【０１５３】
このようなシーンでは、自セルに同期している隣接セルの同期ずれ＝０である。
【０１５４】
なお、この実施例において、ある隣接セルの同期ずれを伝送すること、及び、ある隣接セルに対応するビットマップを伝送することは、同時に送信されてもよいし、先後に送信されてもよいが、ここでは限定しない。
【０１５５】
このように、上記の構成を採用することにより、端末デバイスに、隣接セルの同期信号ブロックの伝送位置を送信することができ、端末デバイスは、通知された第１のタイプのセルの同期信号ブロックの伝送位置に対応する時間において、隣接セルの測定を直接行うことができ、他の場所では測定を行わないことができ、端末測定時間及び消費電力のオーバーヘッドを省くことができる。
【０１５６】
本発明の実施例は、図７に示すように、少なくとも１つのプロセッサ７１と、メモリ７２と、少なくとも１つのネットワークインタフェース７３とを含むネットワークデバイスのハードウェア構成アーキテクチャをさらに提供する。各構成要素は、バスシステム７４によって互いに結合される。バスシステム７４は、これらの構成要素間の接続通信を可能にするために使用されることが理解される。バスシステム８４は、データバスの他に、電源バス、制御バス、ステータス信号バスを有する。ただし、説明を分かりやすくするために、図７では、各種のバスをバスシステム７４と表記している。
【０１５７】
なお、本発明の実施の形態におけるメモリ７２は、揮発性メモリであっても不揮発性メモリであってもよく、揮発性メモリと不揮発性メモリの両方を含んでもよいことは言うまでもない。
【０１５８】
いくつかの実施形態において、メモリ７２は、実行可能モジュールもしくはデータ構造、またはそれらのサブセット、またはそれらの拡張セットの要素であるオペレーティングシステム７２１およびアプリケーションプログラム７２２を記憶する。
【０１５９】
ここで、前記プロセッサ７１は、少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように構成され、ここで、前記端末デバイスが、前記ネットワークデバイスが管理する第２のタイプのセル範囲に位置する。さらに、プロセッサ７１は、前述の実施例１の方法ステップを実行することができ、ここで説明を省略する
本発明の実施例の端末デバイスは、プロセッサと、前記プロセッサで実行可能なコンピュータプログラムを記憶するメモリとを備え、
ここで、プロセッサは、コンピュータプログラムを実行することにより、前述の実施例２の方法ステップを実行する。端末デバイスのアーキテクチャは、図７と同一であり得るので、重複説明は省略される。
【０１６０】
本発明の実施例は、実行されると、前述の実施例１又は２の方法ステップを実施するコンピュータ実行可能命令を記憶したコンピュータ記憶媒体を提供する。
【０１６１】
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１６２】
従って、本発明の実施例は、本発明の実施例によるデータスケジューリング方法を実行するように構成されたコンピュータプログラムを格納するコンピュータ記憶媒体をさらに提供する。
【手続補正２】
【補正対象書類名】特許請求の範囲
【補正対象項目名】全文
【補正方法】変更
【補正の内容】
【特許請求の範囲】
【請求項１】
ネットワークデバイスに応用される同期信号ブロックの位置指示方法であって、
少なくとも１つの第１のタイプのセルの同期信号ブロックの伝送位置を確定することと、
前記少なくとも１つの第１のタイプのセルの同期信号ブロックの伝送位置を、シグナリングにより端末デバイスに送信することとを含み、
ここで、前記端末デバイスが、前記ネットワークデバイスが管理する第２のタイプのセル範囲に位置する
ことを特徴とする同期信号ブロックの位置指示方法。
【請求項２】
前記少なくとも１つの第１のタイプのセルの同期信号ブロックの伝送位置を、シグナリングにより端末デバイスに送信することは、
前記少なくとも１つの第１のタイプのセルの同期信号ブロックの伝送位置に基づいてビットマップを生成し、シグナリングにより前記ビットマップを端末デバイスに送信することを含む
ことを特徴とする請求項１に記載の同期信号ブロックの位置指示方法。
【請求項３】
前記方法は、さらに、
前記少なくとも１つの第１のタイプのセルと前記ネットワークデバイスの管理するセルとの同期関係を前記端末デバイスに送信することを含み、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項２に記載の同期信号ブロックの位置指示方法。
【請求項４】
前記少なくとも１つの第１のタイプのセルの同期信号ブロックの伝送位置に基づいてビットマップを生成し、シグナリングにより前記ビットマップを端末デバイスに送信することは、
少なくとも１つの第１のタイプのセルと前記ネットワークデバイスの管理するセルとが同期状態にある場合、全ての前記第１のタイプのセルの同期信号ブロックの伝送位置に基づいて、全ての第１のタイプのセルの同期信号ブロックの伝送位置を含むビットマップを生成することと、
全ての第１のタイプのセルの同期信号ブロックの伝送位置を含むビットマップを、シグナリングにより端末デバイスに送信することとを含む
ことを特徴とする請求項２に記載の同期信号ブロックの位置指示方法。
【請求項５】
端末デバイスに応用される同期信号ブロックの位置指示方法であって、
ネットワークデバイスから少なくとも１つの第１のタイプのセルの同期信号ブロックの伝送位置を示すシグナリングを受信することと、
前記少なくとも１つの第１のタイプのセルの同期信号ブロックの伝送位置に基づいて、前記少なくとも１つの第１のタイプのセルの同期信号ブロックを測定することとを含む
ことを特徴とする同期信号ブロックの位置指示方法。
【請求項６】
前記ネットワークデバイスから少なくとも１つの第１のタイプのセルの同期信号ブロックの伝送位置を示すシグナリングを受信することは、
ネットワークデバイスからのシグナリングを受信することと、
前記シグナリングからビットマップを取得し、前記ビットマップを利用して少なくとも１つの第１のタイプのセルの同期信号ブロックの伝送位置を取得することとを含む
ことを特徴とする請求項５に記載の同期信号ブロックの位置指示方法。
【請求項７】
前記方法は、さらに、
前記ネットワークデバイスにより送信された、前記少なくとも１つの第１のタイプのセルと前記ネットワークデバイスが管理するセルとの同期関係を受信することを含み、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項６に記載の同期信号ブロックの位置指示方法。
【請求項８】
前記シグナリングからビットマップを取得し、前記ビットマップを利用して少なくとも１つの第１のタイプのセルの同期信号ブロックの伝送位置を取得することは、
少なくとも１つの第１のタイプのセルと前記ネットワークデバイスの管理するセルとが同期状態にある場合、前記ビットマップから全ての第１のタイプのセルの同期信号ブロックの伝送位置を取得することを含む
ことを特徴とする請求項７に記載の同期信号ブロックの位置指示方法。
【請求項９】
少なくとも１つの第１のタイプのセルの同期信号ブロックの伝送位置を確定し、前記少なくとも１つの第１のタイプのセルの同期信号ブロックの伝送位置を、シグナリングにより端末デバイスに送信するように制御するように構成される処理ユニットと、
シグナリングを端末デバイスに送信するように構成される通信ユニットとを含み、
前記端末デバイスが、前記ネットワークデバイスが管理する第２のタイプのセル範囲に位置する
ことを特徴とするネットワークデバイス。
【請求項１０】
前記処理ユニットは、前記少なくとも１つの第１のタイプのセルの同期信号ブロックの伝送位置に基づいてビットマップを生成し、通信ユニットを制御してシグナリングにより前記ビットマップを端末デバイスに送信するように構成される
ことを特徴とする請求項９に記載のネットワークデバイス。
【請求項１１】
前記通信ユニットは、前記少なくとも１つの第１のタイプのセルと前記ネットワークデバイスの管理するセルとの同期関係を前記端末デバイスに送信するように構成され、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項１０に記載のネットワークデバイス。
【請求項１２】
ネットワークデバイスがシグナリングにより送信した少なくとも１つの第１のタイプのセルの同期信号ブロックの伝送位置を受信するように構成される情報受信ユニットと、
前記少なくとも１つの第１のタイプのセルの同期信号ブロックの伝送位置に基づいて、前記少なくとも１つの第１のタイプのセルの同期信号ブロックを測定するように構成される測定ユニットとを含む
ことを特徴とする端末デバイス。
【請求項１３】
前記情報受信ユニットは、ネットワークデバイスからのシグナリングを受信するように構成され、
前記測定ユニットは、前記シグナリングからビットマップを取得し、前記ビットマップを利用して少なくとも１つの第１のタイプのセルの同期信号ブロックの伝送位置を取得するように構成される
ことを特徴とする請求項１２に記載の端末デバイス。
【請求項１４】
前記情報受信ユニットは、前記ネットワークデバイスにより送信された、前記少なくとも１つの第１のタイプのセルと前記ネットワークデバイスが管理するセルとの同期関係を受信するように構成され、
前記同期関係は、前記第１のタイプのセルと前記ネットワークデバイスの管理するセルとが同期状態にあること、又は、前記第１のタイプのセルと前記ネットワークデバイスの管理するセルとの間に同期ずれが存在することを含む
ことを特徴とする請求項１３に記載の端末デバイス。
【請求項１５】
前記測定ユニットは、少なくとも１つの第１のタイプのセルと前記ネットワークデバイスの管理するセルとが同期状態にある場合、前記ビットマップから全ての第１のタイプのセルの同期信号ブロックの伝送位置を取得するように構成される
ことを特徴とする請求項１４に記載の端末デバイス。
【国際調査報告】
2020537836.tif 000010
2020537836.tif 000011
2020537836.tif 000012
2020537836.tif 000013